(57)【要約】【課題】  非通し目地を形成するためのタイルユニットであって、基材シートが損壊、変形しにくいタイルユニットとこのタイルユニットの施工構造を提供する。【解決手段】  タイルユニット１は、基材シート２と、この基材シート２の前面側に取り付けられたタイル（平タイル）３とを有する。奇数段にあっては、タイル３は基材シート２の左右両端に達するように配設されている。偶数段にあっては、タイル３はタイル３の半個分だけ基材シート２の左右幅方向中央側にずらして配置されている。基材シート２の４コーナー部はタイル３が張られているので、このタイルユニット１の輸送時等に基材シート２のコーナー部の損壊、変形が防止される。基材シート２には開口４，５が設けられている。【選択図】  図１
2005048502.tif 000002
【特許請求の範囲】
【請求項１】
基材シート上に、タイルが奇数段にわたって多段に、且つ各段において左右に複数個並列されているタイルユニットであって、
縦目地は非通し目地であり、
最上段及び最下段を含めた奇数段にあっては、タイルが該基材シートの両側端にまで達するように配置されており、
偶数段にあっては、タイルが基材シートの左右両側端からタイルの略半分の長さだけ基材シート中央側に離隔して配置されているタイルユニット。
【請求項２】
請求項１において、該タイルユニットの縦目地は馬踏み目地であることを特徴とするタイルユニット。
【請求項３】
請求項１又は２において、偶数段の左右両側端のタイルが配置されていない部分にあっては、基材シートに開口が設けられていることを特徴とするタイルユニット。
【請求項４】
請求項１ないし３のいずれか１項において、
該基材シートの上辺にあっては、最上段のタイルの上辺よりも上方に突出する上側突片と、最上段のタイルの上辺よりも下方に後退する上側受容部とが左右方向に交互に設けられており、
該基材シートの下辺にあっては、最下段のタイルの下辺よりも下方に突出する下側突片と、最下段のタイルの下辺よりも上方に後退する下側受容部とが左右方向に交互に設けられており、
該上側突片の下方には下側受容部が位置し、該上側受容部の下方には下側突片が位置していることを特徴とするタイルユニット。
【請求項５】
請求項１ないし４のいずれか１項に記載の複数のタイルユニットを壁面に取付施工した構造であって、
左右に隣接してタイルユニットが配列された場合にタイルユニットの偶数段同士に跨がって形成される空所にそれぞれタイルが張り付け施工されていることを特徴とするタイルユニットの施工構造。
【請求項６】
請求項５において、該タイルユニットは請求項４に記載のタイルユニットであり、
上下に隣接するタイルユニット同士にあっては、上位のタイルユニットの下側突片が下位のタイルユニットの上側受容部に差し込まれ、下位のタイルユニットの上側突片が上位のタイルユニットの下側受容部に差し込まれていることを特徴とするタイルユニットの施工構造。
【発明の詳細な説明】
【技術分野】
【０００１】
本発明は、基材シート上にタイルが多段に設けられているタイルユニットとその施工構造に関する。詳しくは、馬目地、馬踏み目地など、タイルが互い違い調となっており、縦目地が非通し目地となっているタイルユニットとその施工構造に関する。
【背景技術】
【０００２】
特開平１０−１８５４４号にも記述した通り、タイル目地付けに、第７〜１３図のように、馬目地、馬踏み目地などタイルが互い違い調となったものがある。
【０００３】
第７図は馬目地（破れ目地）、第８図は馬踏み目地、第９図はたて馬目地、第１０図はイギリス張り（オランダ張り）、第１１図はフランス張り、第１２図はフランス型のアメリカ張り、第１３図はイギリス型のアメリカ張りを示す。
【０００４】
煉瓦調外観を有した表層材を基板に接着してなる、馬踏み目地を有した壁用建材が特開平４−１３５４号に記載されている。
【０００５】
第５図（Ａ）は同号公報の壁用建材の正面図、第５図（Ｂ）は同斜視図であり、第４図はこの壁用建材の施工方法を示す正面図である。
【０００６】
厚さ４５〜５０ｍｍのパルプセメント板４１の前面に、煉瓦調の成形材よりなる表層材４２が馬踏み目地にて８段にわたって貼着されている。奇数段にあっては、表層材４２は基板４１の左右両端縁に達するように設けられている。偶数段にあっては、表層材４２は半個分だけ中央側に寄るように配置されている。これにより、縦目地４２ｄは上下に連続しない馬踏み目地となっている。偶数段の両端側には、表層材４２を貼っていない空白域４２ｃが形成されている。４２ａは表層材４２を貼ってある領域を示す。
【０００７】
この壁用建材を第４図の通り上下左右に連ねるようにして壁面に取り付ける。空白域４２ｃ，４２ｃが連なることにより形成される表層材１個分の大きさの空白域に表層材４２ｂを接着することにより、壁面全体として馬踏み目地調の仕上りとなる。
【０００８】
特開平８−１３５１３９号には、タイルを奇数段に配設した馬踏み目地調タイルパネルが記載されている。第６図は同号公報のタイルパネルの斜視図である。
【０００９】
このタイルパネル６０は、下地材１上にタイル２を馬踏み目地の割り付けにて設けたものである。奇数段にあっては、タイル２は右詰めにて配列され、左端側はタイル半個分の空白域６３となっている。偶数段にあっては、タイル２は左詰めにて配列され、右端側はタイル半個分の空白域６３となっている。
【００１０】
複数のタイルパネル６０を突き付けるようにして壁面に取り付け施工する。同号公報の第００１５段落によると、空白域６３には、パネル６０同士を跨ぐように、タイル６２と同一形状のタイル６４を取り付けるとある。しかしながら、空白域６３はタイル半個分の大きさでしかないため、タイル６４は左右に隣接するタイルパネル６０同士に跨がることはできない。図示はしないが、同号公報の図４には、タイルを４段に配設したタイルパネルが図示されているが、これは基本的には前記第４，５図と同一の割り付け構成のものである。
【特許文献１】特開平１０−１８５４４号公報
【特許文献２】特開平４−１３５４号公報
【特許文献３】特開平８−１３５１３９号公報
【発明の開示】
【発明が解決しようとする課題】
【００１１】
第４，５図に示す従来例に係る壁用建材にあっては、表層材４２が偶数段配設されているため、最下段又は最上段の左右両端に表層材４２が貼着されていない空白域４２ｃが生じている。基材４１が薄い場合などには、壁用建材の輸送時や取付作業時にこの最下段又は最上段の左右両端の空白域４２ｃが物に当って損壊あるいは変形し易い。
【００１２】
第６図に示す従来例に係るタイルパネル６０にあっても、最上段及び最下段の左端においてタイル６２を貼ってない空白域６３が存在するため、基板６１が薄い場合には左上隅部及び左下隅部が損壊、変形し易い。
【００１３】
本発明は、非通し目地を形成するためのタイルユニットであって、基材シートが損壊、変形しにくいタイルユニットを提供することを目的とする。
【００１４】
また、本発明は、このタイルユニットを壁面に施工した施工構造を提供することを目的とする。
【課題を解決するための手段】
【００１５】
本発明のタイルユニットは、基材シート上に、タイルが奇数段にわたって多段に、且つ各段において左右に複数個並列されているタイルユニットであって、縦目地は非通し目地であり、最上段及び最下段を含めた奇数段にあっては、タイルが該基材シートの両側端にまで達するように配置されており、偶数段にあっては、タイルが基材シートの左右両側端からタイルの略半分の長さだけ基材シート中央側に離隔して配置されているものである。
【００１６】
この非通し目地としては、馬踏み目地が好適である。
【００１７】
このタイルユニットにあっては、偶数段の左右両側端のタイルが配置されていない部分にあっては、基材シートに開口が設けられていることが望ましい。
【００１８】
本発明では、基材シートの上辺にあっては、最上段のタイルの上辺よりも上方に突出する上側突片と、最上段のタイルの上辺よりも下方に後退する上側受容部とが左右方向に交互に設けられており、該基材シートの下辺にあっては、最下段のタイルの下辺よりも下方に突出する下側突片と、最下段のタイルの下辺よりも上方に後退する下側受容部とが左右方向に交互に設けられており、該上側突片の下方には下側受容部が位置し、該上側受容部の下方には下側突片が位置している構成としてもよい。
【００１９】
本発明のタイルユニットの施工構造は、かかる本発明のタイルユニットを複数個壁面に取付施工した構造であって、左右に隣接してタイルユニットが配列された場合にタイルユニットの偶数段同士に跨がって形成される空所にそれぞれタイルが張り付け施工されていることを特徴とするものである。
【発明の効果】
【００２０】
かかる本発明のタイルユニットにあっては、最上段及び最下段の左右両側端にまで達するようにタイルが配設されているので、タイルユニットの４コーナー部の強度が高い。そのため、基材シートが薄い場合であっても、輸送中にコーナー部が損壊、変形することが防止される。
【００２１】
このタイルユニットによると、該タイルユニットを取付施工した壁面全体として非通し目地となる。即ち、タイルユニット同士の左右両端に跨がってタイルが張り付けられる（後張りされる）ので、タイルユニットの継目も非通し目地となる。
【００２２】
なお、上下が対称となるので最上段で使用したあまりを反転して使用することが可能となる。
【００２３】
非通し目地が馬踏み目地の場合、タイル形状が１種類でよいので効率的である。
【００２４】
このタイルユニットの偶数段の左右両側端のタイルが配置されていない部分にあっては、基材シートに開口が設けられている構成とした場合には、この開口を通してタイルを壁面に直に接着することができ、後張りするタイルの接着強度が高くなる。
【００２５】
本発明のタイルユニットの施工構造では、上下に隣接するタイルユニット同士にあっては、上位のタイルユニットの下側突片が下位のタイルユニットの上側受容部に差し込まれ、下位のタイルユニットの上側突片が上位のタイルユニットの下側受容部に差し込まれている構成とすることにより、タイルユニットの左右の位置決めを容易且つ正確に行うことができる。また、タイルユニットのタイルが奇数段であり、空所は偶数段であるため、タイルユニット間に跨った空所に入れるタイルの数量が少なくてすむ。例えば、タイルユニットのタイルが６段の場合は３枚入れなければならない（３／１８＝１６．７％）のに対し、５段の場合は２枚入れれば足り、２／１５＝１３．３％となり、約３ポイント分だけ削減できる。
【発明を実施するための最良の形態】
【００２６】
以下、図面を参照して本発明の一例について説明する。
【００２７】
第１図は本発明のタイルユニット及びその施工構造を示す斜視図、第２図（ａ），（ｂ）はそれぞれこのタイルユニットの表、裏側からの斜視図、第３図（ａ），（ｂ）はそれぞれこの施工構造に用いられるコーナータイルユニットの表、裏側からの斜視図である。
【００２８】
このタイルユニット１は、基材シート２と、この基材シート２の前面側に取り付けられたタイル（平タイル）３とを有する。タイル３は、上下に奇数段（この例では５段）配設され、左右に複数個（この例では、奇数段において３個、偶数段において２個）配設されている。
【００２９】
基材シート２としては、紙、樹脂シート、合板等が好適であり、その厚さは０．５〜３ｍｍ特に０．５〜１．０ｍｍ程度が好適であるが、これに限定されない。
【００３０】
タイル３は、陶磁器製であり、左右に長い長方形状であるが、正方形であってもよく、縦長長方形であってもよい。各タイル３は全て同一形状となっているが、イギリス張り、フランス張り、アメリカ張り等の場合には複数の長さの異なるタイルが採用される。
【００３１】
タイル３は接着剤によって基材シート２に接着されることが望ましい。
【００３２】
奇数段にあっては、タイル３は基材シート２の左右両端に達するように配設されている。偶数段にあっては、タイル３はタイル３の半個分だけ基材シート２の左右幅方向中央側にずらして配置されている。これにより、タイルユニット１の偶数段の左右両端側にあっては、タイル３が張られていない空白域４が形成され、この空白域４では基材シート２が露出している。基材シート２の４コーナー部はタイル３が張られているので、このタイルユニット１の輸送時等に基材シート２のコーナー部の損壊、変形が防止される。
【００３３】
この空白域４では、基材シート２に開口５が設けられている。
【００３４】
タイル３が張られている部分では、基材シート２に開口６が設けられており、タイルユニット１の裏側から該開口６を通してタイル３の裏面が露見する構成となっている。この開口６は、タイルユニット１を壁面に接着する場合に、タイル３の裏面を壁面に接着剤で直付けさせるための機能を有する。
【００３５】
この例の基材シート２の上辺には、最上段のタイル３の上辺から上方に突出する突片（山形凸部）２ａと、該タイル３の上辺から下方に退く受容部（谷形凹部）２ｂとが交互に設けられている。また、基材シート２の下辺には、最下段のタイル３の下辺から下方に突出する突片２ｃと上方に退く受容部２ｄとが交互に設けられている。なお、上側の突片２ａの下方には、下側の受容部２ｄが位置し、上側の受容部２ｂの下方には、下側の突片２ｃが位置する。
【００３６】
第３図を参照して曲がりタイルユニット１１について説明する。
【００３７】
この曲がりタイルユニット１１は、上下３段に配置された曲がりタイル１３が基材シート１２によって連結されたものである。各曲がりタイル１３同士の間には、１個の曲がりタイル１３分のスペース（曲がりタイル１３を張っていない空白域１４）が存在する。基材シート１２は曲がりタイル１３の裏面に接着されている。最上段の曲がりタイル１３の裏面の上半分と最下段の曲がりタイル１３の裏面の下半分は、基材シート１２が張られていない。空白域１４にあっては、基材シート１２に開口１５が設けられている。中段の曲がりタイル１３の裏面にあっては、基材シート１２に開口１６が設けられている。
【００３８】
この曲がりタイル１３の長辺側は、平タイル３の全長の３／４の長さを有し、短辺側は平タイル３の全長の１／４の長さを有する。
【００３９】
このタイルユニット１及び曲がりタイルユニット１１を用いた施工例について第１図を参照して説明する。
【００４０】
まず、ユニット裏面からタイルに接着剤を塗布するか、櫛目鏝などを用いて壁面２０に均一に接着剤を塗布しておく。最初に、壁面２０の出隅部に曲がりタイルユニット１１を上下に多段に取り付ける。この際、曲がりタイルユニット１１の長辺側１１Ｌの上側には上位側の曲がりタイルユニット１１の短辺側１１Ｓが配置されるように左右を交互に入れ替えて配設する。
【００４１】
次に、この曲がりタイルユニット１１に隣接させて且つ突き付けるようにしてタイルユニット１を下段側から順次に張って行く。この際、上位側のタイルユニット１の下側の突片２ｃを下位側のタイルユニット１の上側の受容部２ｂに差し込む。
【００４２】
この例では、基材シート２が弾性的に湾曲させることができるので、第１図に示すように、最下段の曲がりタイルユニット１１及び下から３段目の曲がりタイルユニット１１の長辺側１１Ｌ，１１Ｌ同士の間に、タイルユニット１を前面側に凸曲させるように湾曲させて係合させることができる。
【００４３】
全ての曲がりタイルユニット１１及びタイルユニット１を張った後、空白域４，４の突き合わせ部分に平タイル３を接着剤で張る。出隅部にあっては、曲がりタイルユニット１１の長辺側１１Ｌの空白域１４とタイルユニット１の空白域４との突き合わせ部分に跨がって平タイル３を張る。また、曲がりタイルユニット１１の短辺側１１Ｓの空白域１４とタイルユニット１の空白域４との突き合わせ部分に跨がって曲がりタイル１３を張る。
【００４４】
これにより、タイルユニットが張り付けられた壁面全体として馬踏み目地の仕上りとすることができる。この場合、タイルユニット１同士及びタイルユニット１と曲がりタイルユニット１１との継目においても、各継目を跨いで平タイル３又は曲がりタイル１３が張られることにより馬踏み目地となる。
【００４５】
また、基材シート２，１２に開口５，６，１５，１６が設けられているので、各タイル３，１３が各開口を通して壁面２０に直張りされることになり、タイル３の張り付け強度も高いものとなる。なお、突片２ａ，２ｃと受容部２ｄ，２ｂとを係合させるので、タイルユニット１の左右の位置決めが容易であり、位置決め精度も高い。
【００４６】
本発明では、目地割は馬踏み目地の他、馬目地、たて馬目地、イギリス張り、フランス張り、アメリカ張りであってもよい。
【図面の簡単な説明】
【００４７】
【図１】実施の形態に係るタイルユニット及びその施工構造を示す斜視図である。
【図２】実施の形態に係るタイルユニットの斜視図である。
【図３】曲がりタイルユニットの斜視図である。
【図４】従来例を示す正面図である。
【図５】従来例を示す正面図及び斜視図である。
【図６】別の従来例の斜視図である。
【図７】馬目地の説明図である。
【図８】馬踏み目地の説明図である。
【図９】たて馬目地の説明図である。
【図１０】イギリス張りの説明図である。
【図１１】フランス張りの説明図である。
【図１２】アメリカ張りの説明図である。
【図１３】別のアメリカ張りの説明図である。
【符号の説明】
【００４８】
１  タイルユニット
２  基材シート
３  タイル（平タイル）
４  空白域
５，６  開口
１１  曲がりタイルユニット
１１Ｌ  長辺側
１１Ｓ  短辺側
１３  曲がりタイル
１４  空白域
【図１】
2005048502.tif 000003
【図２】
2005048502.tif 000004
【図３】
2005048502.tif 000005
【図４】
2005048502.tif 000006
【図５】
2005048502.tif 000007
【図６】
2005048502.tif 000008
【図７】
2005048502.tif 000009
【図８】
2005048502.tif 000010
【図９】
2005048502.tif 000011
【図１０】
2005048502.tif 000012
【図１１】
2005048502.tif 000013
【図１２】
2005048502.tif 000014
【図１３】
2005048502.tif 000015